(57)【要約】【課題】上ケースと下ケースとの嵌め込み作業及び取り外し作業を容易にし、かつ、表示パネルへの負荷を低減した表示装置、及び電子機器を提供する。【解決手段】カバーガラス支持ケース３２の側板部３２ｅの光源側の端部に、外側に突設した爪状体を有するフック部３２ａを複数箇所形成し、側板部３２ｅに、フック部３２ａを囲うように内側に凹状に窪んだ防護壁３２ｃを形成し、フック部３２ａと防護壁３２ｃとの間に、間隙３２ｂを形成することによって、フック部３２ａが、フック部３２ａの爪状体が内側方向に押圧された場合に、その押圧方向に弾性変形が可能であるものとした。【選択図】図４
2014164276.tif 000002
【特許請求の範囲】
【請求項１】
画像を表示する表示面を備える表示パネルと、
前記表示パネルの前記表示面を支持する支持面及び前記支持面の外縁に沿って形成され前記支持面の外縁から前記表示面に直交する方向に延びた側板部を備え、前記側板部の外周側の面に前記側板部の表面に直交する方向に突出したフック部が、前記側板部の少なくとも１箇所に形成された上ケースと、
前記表示面に平行な底面及び前記底面の周囲に形成され、前記底面に直交する方向に延在し前記側板部の外周側に対面する側壁を備え、前記側壁に前記フック部が挿入される開口が形成される下ケースと、を有し、
前記フック部は、前記支持面に平行な面において、荷重が付与されていない状態で前記開口に挿入され、かつ、前記開口に挿入されている部分が前記支持面の外側から前記支持面の中心側に押された場合、前記開口と重ならない位置まで前記支持面の中心側に弾性変形可能であることを特徴とする表示装置。
【請求項２】
前記側板部は、前記フック部の側面及び前記支持面の中心側の面に対面した防護壁を備え、
前記防護壁は、端部が、前記側板部の前記フック部に隣接した部分と連結されていることを特徴とする請求項１に記載の表示装置。
【請求項３】
前記下ケースは、前記表示パネルに積層され前記表示パネルを照明するバックライトをさらに有し、
前記バックライトを収納することを特徴とする請求項１または２に記載の表示装置。
【請求項４】
前記表示パネルと接着され、前記上ケースと接着される表示カバーをさらに有することを特徴とする請求項１から３のいずれか一項に記載の表示装置。
【請求項５】
請求項１から４のいずれか一項に記載の表示装置と、
前記表示装置の表示動作を制御する制御装置と、
を備えたことを特徴とする電子機器。
【発明の詳細な説明】
【技術分野】
【０００１】
本発明は、表示パネルの表示カバーが貼付けられた上ケースを、下ケースに固定する表示装置、及び電子機器に関する。
【背景技術】
【０００２】
車載のカーナビゲーションシステム等に搭載される表示装置として、液晶表示装置がある。液晶表示装置は、ＬＣＤ（Ｌｉｑｕｉｄ  Ｃｒｙｓｔａｌ  Ｄｉｓｐｌａｙ）パネル（液晶パネル）の表示面が薄いガラスで構成されている。このため、露出していると使用中の外力又は衝撃によってＬＣＤパネルが割れてしまうおそれがある。これに対して、液晶表示装置には、ＬＣＤパネルの表示面側を、表示面を視認できるような透明なカバーウィンドウ（カバーガラス）に固定するものがある。カバーウィンドウを設けることで、ＬＣＤパネルの表示面を被覆して保護することができる。
【０００３】
また、液晶表示装置には、ＬＣＤパネルと、ＬＣＤパネルの表示面側に配置された表示カバーと、表示カバーの外周部分を支持及び固定する枠状の表示カバー支持ケース（上ケース）と、バックライトと、バックライトを収納し、表示カバー支持ケースが嵌め込まれる収納ケース（下ケース）と、を備えるものがある。例えば、特許文献１には、上ケース（又は下ケース）の側壁に突起状のフック部が形成され、下ケース（又は上ケース）の側壁に開口部が形成され、フック部が開口部に嵌合することによって、上ケースと下ケースとが固定される液晶表示装置が記載されている。
【先行技術文献】
【特許文献】
【０００４】
【特許文献１】特開平１１−７０００号公報
【発明の概要】
【発明が解決しようとする課題】
【０００５】
特許文献１に記載された液晶表示装置は、製造時又はリワーク（再組立て）時に、上ケース（又は下ケース）全体を変形させ、下ケース（又は上ケース）に嵌め込む。そのため、製造時又はリワーク時において、上ケース及び下ケースの嵌め込み作業及び取り外し作業が困難である。また、上述のように、上ケースが、ＬＣＤパネルの表示面側に配置された表示カバーの外周部分を支持及び固定する表示カバー支持ケースである場合、上ケースを下ケースに嵌め込む際あるいは取り外す際に、上ケースを変形させるとＬＣＤパネル及び表示カバーに対して物理的な負荷がかかる。なお、ＬＣＤパネルを備える液晶表示装置に限定されず、表示パネルを備える表示装置も同様の問題がある。
【０００６】
本発明は、上記のような課題を解決するためになされたものであり、上ケースと下ケースとの嵌め込み作業及び取り外し作業を容易にし、表示パネルへの負荷を低減し、かつ、表示パネルの周辺への異物の混入を抑制することができる表示装置、及び電子機器を提供することを目的とする。
【課題を解決するための手段】
【０００７】
本発明に係る表示装置は、画像を表示する表示面を備える表示パネルと、前記表示パネルの前記表示面を支持する支持面及び前記支持面の外縁に沿って形成され前記支持面の外縁から前記表示面に直交する方向に延びた側板部を備え、前記側板部の外周側の面に前記側板部の表面に直交する方向に突出したフック部が、前記側板部の少なくとも１箇所に形成された上ケースと、前記表示面に平行な底面及び前記底面の周囲に形成され、前記底面に直交する方向に延在し前記側板部の外周側に対面する側壁を備え、前記側壁に前記フック部が挿入される開口が形成される下ケースと、を有し、前記フック部は、前記支持面に平行な面において、荷重が付与されていない状態で前記開口に挿入され、かつ、前記開口に挿入されている部分が前記支持面の外側から前記支持面の中心側に押された場合、前記開口と重ならない位置まで前記支持面の中心側に弾性変形可能であることを特徴とする。
【発明の効果】
【０００８】
本発明に係る表示装置によれば、表示装置の製造時又はリワーク時において、上ケース及び下ケースの嵌め込み作業及び取り外し作業が容易となる。また、上ケース及び下ケースの嵌め込み作業及び取り外し作業の際に、フック部のみを弾性変形すればよいので、表示パネルを支持した上ケース及び下ケース全体に物理的な負荷がかかるのを低減することができる。また、上ケースと下ケースとを嵌め込みで固定することで、上ケースと下ケースとの間から異物が混入することを抑制することができ、表示パネルの周辺への異物の混入を抑制することができる。
【図面の簡単な説明】
【０００９】
【図１】図１は、実施形態に係る表示装置の一例である液晶表示装置の全体斜視図である。
【図２】図２は、図１の液晶表示装置に対して別方向から見た場合の全体斜視図である。
【図３】図３は、実施形態に係る液晶表示装置の分解斜視図である。
【図４】図４は、実施形態に係る液晶表示装置についてＬＣＤパネル部とバックライトユニットとが嵌め込まれた状態における要部断面図である。
【図５】図５は、実施形態に係る液晶表示装置のカバーガラス支持ケースに形成されたフック部を示す図である。
【図６】図６は、実施形態に係る液晶表示装置のカバーガラス支持ケースに形成されたフック部を光源側から見た斜視図である。
【図７】図７は、実施形態に係る液晶表示装置においてフック部が収納ケースの開口部に嵌合した状態を示す図である。
【図８】図８は、実施形態に係る液晶表示装置を自動車のダッシュボードに設置した状態を示す図である。
【発明を実施するための形態】
【００１０】
（液晶表示装置１の構成）
図１は、実施形態に係る表示装置の一例である液晶表示装置の全体斜視図であり、図２は、図１の液晶表示装置に対して別方向から見た場合の全体斜視図であり、図３は、該液晶表示装置の分解斜視図であり、そして、図４は、実施形態に係る液晶表示装置についてＬＣＤパネル部とバックライトユニットとが嵌め込まれた状態における要部断面図である。図１〜図４を参照しながら、実施形態に係る液晶表示装置１の構成について説明する。
【００１１】
図１から図３に示すように、液晶表示装置１は、画像を表示するＬＣＤパネル部３と、光を照射するバックライトユニット４と、を備えている。液晶表示装置１は、ＬＣＤパネル部３と、バックライトユニット４とが積層され、バックライトユニット４がＬＣＤパネル部３を照明し、ＬＣＤパネル部３に表示された画像を表示させる。
【００１２】
ＬＣＤパネル部３は、ＬＣＤパネル（液晶パネル）２と、カバーガラス３１と、カバーガラス支持ケース（上ケース）３２とを備えている。
【００１３】
ＬＣＤパネル２は、２枚の透明基板の間に液晶層が設けられ、透明基板上に形成された基板である。本実施形態のＬＣＤパネル２は、ＦＦＳ（Ｆｒｉｎｇｅ  Ｆｉｅｌｄ  Ｓｗｉｔｃｈｉｎｇ）型の液晶ディスプレイであり、一方の透明基板に画素に対応して形成されたマトリクス状に配置された画素電極と駆動電極（共通）が積層されている。また、２つの透明基板の少なくとも一方には、例えば、Ｒ（赤）、Ｇ（緑）及びＢ（青）等のフィルタが画素に対応して配置されたカラーフィルタが設けられている。ＬＣＤパネル２は、画素電極と駆動電極（共通）のいずれか一方に開口が形成されており、開口からもれた電界（フリンジ電界）で液晶を駆動させる。ＬＣＤパネル２は、画像信号に基づいて、各画素での光の透過と遮断を切り換えることで、画像を表示させる。ＬＣＤパネル２は、マトリクス状に画素が配置された面、つまり面積が最も大きい面（パネル面、表面）が後述するバックライトユニット４の照射面と略平行に配置されている。実施形態では、ＬＣＤパネル２を、ＦＦＳ型で示したが、ＩＰＳ（Ｉｎ−Ｐｌａｎｅ  Ｓｗｉｔｃｈｉｎｇ）型、ＴＮ（Ｔｗｉｓｔｅｄ  Ｎｅｍａｔｉｃ）型、ＯＣＢ（Ｏｐｔｉｃａｌｌｙ  Ｃｏｍｐｅｎｓａｔｅｄ  Ｂｅｎｄ、Ｏｐｔｉｃａｌｌｙ  Ｃｏｍｐｅｎｓａｔｅｄ  Ｂｉｒｅｆｒｉｎｇｅｎｃｅ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型としてもよい。また、ＬＣＤパネル２は、電圧がかかっていない状態で光を透過せず表示が黒になるノーマリーブラック、電圧がかかっていない状態で光を透過し表示が白になるノーマリーホワイトのいずれの方式も用いることができる。また、図１に示すように、ＬＣＤパネル２は、ＦＰＣ（Ｆｌｅｘｉｂｌｅ  ｐｒｉｎｔｅｄ  ｃｉｒｃｕｉｔｓ）２１が接続されている。ＦＰＣ２１は、ＬＣＤパネル２に制御信号を送信して表示動作を制御する外部機器（制御装置）に接続される。
【００１４】
カバーガラス３１は、ＬＣＤパネル２の表示面を被覆して保護する透明なガラス部材である。カバーガラス３１は、図４に示すように、ＬＣＤパネル２の表示側に配置され、ＬＣＤパネル２に固定され、かつ、カバーガラス支持ケース３２に接着等により固定されている。本実施形態のカバーガラス３１は、ＵＶ（ｕｌｔｒａｖｉｏｌｅｔ）硬化樹脂（紫外線硬化樹脂）３３によってＬＣＤパネル２の表示面と接着している。ＵＶ硬化樹脂３３は、紫外線の光エネルギーに反応して液体から固体に化学的に変化する合成樹脂である。
【００１５】
本実施形態の液晶表示装置１は、ＬＣＤパネル２の表示側の面、つまり表示面を保護する表示カバーとして、カバーガラス３１を設け、ＬＣＤパネル２にカバーガラス３１を固定したが、これに限定されない。液晶表示装置１は、ＬＣＤパネル２の表面を保護することができ、かつ、ＬＣＤパネル２に表示された画像を透過させることができればよく、板状でかつ光を透過する種々の表示カバーを用いることができる。表示カバーとしては、透明な樹脂部材や、タッチパネルを用いることができる。
【００１６】
カバーガラス支持ケース３２は、カバーガラス３１を支持することで、カバーガラス３１に固定されているＬＣＤパネル２を支持する。また、カバーガラス支持ケース３２は、バックライトユニット４の収納ケース４１に嵌め込まれている。カバーガラス支持ケース３２の形状については、後述する。
【００１７】
バックライトユニット４は、収納ケース（下ケース）４１と、バックライト４２と、を備えている。
【００１８】
収納ケース４１は、底面と底面の外周に形成され底面に直交する方向に伸びた側壁とを備える矩形状の箱型のケースである。収納ケース４１は、金属で形成されている。収納ケース４１は、底面にバックライト４２が固定されている。ここで、収納ケース４１は、バックライト４２から照射する光が外部に漏れないように遮光する遮光部材となり、バックライトユニット４に積層されるＬＣＤパネル２のシールドとなる。
【００１９】
バックライト４２は、ＬＣＤパネル２に光を照射する機構であり、ＬＣＤパネル２に対面して配置されている。バックライト４２は、収納ケース４１に収納されている。バックライト４２は、光を出力する光源と、光源から出力された光が入射され、入射された光を案内して、ＬＣＤパネル２に向けて照射させる導光板と、導光板の光照射面側に積層された光学シートを有する。光源としては、ＬＥＤ（Ｌｉｇｈｔ  Ｅｍｉｔｔｉｎｇ  Ｄｉｏｄｅ）や蛍光灯を用いることができる。また、光源は、図１に示すフレキシブルケーブル４３が接続されている。フレキシブルケーブル４３が、収納ケース４１及びカバーガラス支持ケース３２の外側に延在し、電力の供給源と接続している。なお、本実施形態では、バックライト４２として導光板を用いて導光板の出射面から光を出力させたが、これに限定されない。バックライト４２としては、ＬＥＤなどの点光源や冷陰極管（ＣＣＦＬ）などの線光源を用いてもよい。バックライト４２は、点光源や線光源を複数配置し、ＬＣＤパネル２の表示面の全面に光を入射させるようにしてもよい。
【００２０】
次に、カバーガラス支持ケース３２の形状について説明する。カバーガラス支持ケース３２は、貼付板部３２ｄと、側板部３２ｅと、段部３２ｆと、を含む。
【００２１】
貼付板部３２ｄは、カバーガラス３１のＬＣＤパネル２側の面の外縁近傍に対面した枠形状である。貼付板部３２ｄは、枠形状の表面に接着等によりカバーガラス３１が固定される。
【００２２】
側板部３２ｅは、貼付板部３２ｄのＬＣＤパネル２側の面（支持面）に形成され、枠形状の貼付板部３２ｄに沿って形成されている。したがって、側板部３２ｅは、カバーガラス３１のＬＣＤパネル２側の面の外縁に沿って、ＬＣＤパネル２を囲むように全周に形成されている。側板部３２ｅは、貼付板部３２ｄのＬＣＤパネル２側の面に略垂直な方向に延在する。側板部３２ｅは、カバーガラス３１のＬＣＤパネル２側の面の外縁の各辺に沿って設けられた部分が、貼付板部３２ｄのＬＣＤパネル２側の面に略垂直な方向が短辺方向となり、外縁の各辺に沿った方向が長辺方向となり、当該２方向に直交する方向が厚み方向となる板形状となる。なお、カバーガラス支持ケース３２は、側板部３２ｅの外面が、後述する箱型の収納ケース４１の側壁の内面に対向する。カバーガラス支持ケース３２と収納ケース４１とは、対面するカバーガラス支持ケース３２の側板部３２ｅと収納ケース４１の側壁とに両者を固定するための機構を備えている。この点については、後述する。
【００２３】
段部３２ｆは、側板部３２ｅの内周（表示面の中心）側の面に連結され、貼付板部３２ｄの板面と略平行に延在する。段部３２ｆは、ＬＣＤパネル２のバックライトユニット４側の面の端部と対面している。また、段部３２ｆは、ＬＣＤパネル２と対面している面と反対側の面がバックライトユニット４のバックライト４２と対面している。また、段部３２ｆとＬＣＤパネル２との間には、緩衝部材３４が配置されている。
【００２４】
カバーガラス支持ケース３２は、ＬＣＤパネル２が接着したカバーガラス３１を支持することによって、ＬＣＤパネル２を支持する。また、カバーガラス支持ケース３２は、段部３２ｆがＬＣＤパネル２のバックライトユニット４側（光源側ともいう）に形成され、かつ間に緩衝部材３４が配置されている。さらに段部３２ｆは、ＬＣＤパネル２とバックライト４２との間に配置されている。これにより、カバーガラス支持ケース３２は、バックライト４２を収納ケース４１の所定位置に支持する。また、バックライト４２の荷重がＬＣＤパネル２側にかかった場合でも、段部３２ｆと緩衝部材３４で荷重を受けることで、バックライトユニット４側から負荷がＬＣＤパネル２に加わることを抑制する。
【００２５】
（カバーガラス支持ケース３２のフック部３２ａの周辺構造）
図５は、実施形態に係る液晶表示装置のカバーガラス支持ケースに形成されたフック部を示す図であり、図６は、該フック部を光源側から見た斜視図であり、そして、図７は、該フック部が収納ケースの開口部に嵌合した状態を示す図である。図４〜図７を参照しながら、カバーガラス支持ケース３２に形成されたフック部３２ａの周辺構造、並びにカバーガラス支持ケース３２及び収納ケース４１の嵌め込み及び取り外しの態様について説明する。
【００２６】
カバーガラス支持ケース３２は、側板部３２ｅの複数箇所にフック部３２ａが形成されている。フック部３２ａは、側壁と対向する面（つまり、側板部３２ｅの外周側の面）、かつ、光源側（バックライトユニット４側）の端部に、側板部の表面に直交する方向に突出した形状である。フック部３２ａは、貼付板部３２ｄに直交する方向の長さに対して、側板部３２ｅに直交する方向の長さが短い。また、フック部３２ａは、側板部３２ｅの延在方向において、側板部３２ｅの他の部分とは、分断されている。これにより、フック部３２ａは、側板部３２ｅに直交する方向に弾性変形することができる形状となる。フック部３２ａの突出している部分は、ＬＣＤパネル２側の端面が貼付板部３２ｄの表面と略平行となり、反対側の面が貼付板部３２ｄの表面に対して傾斜した突起形状となる。また、カバーガラス支持ケース３２の側板部３２ｅは、フック部３２ａが形成されている領域に、フック部３２ａを囲うように内側（ＬＣＤパネル２の表示面に平行な面において、表示面の中心側）に凹状に窪んだ防護壁３２ｃを有する。また、防護壁３２ｃは、表示面に平行な面においてフック部３２ａに対して所定距離離れて形成されており、フック部３２ａとの間に、間隙（空間）３２ｂが形成される。
【００２７】
また、上述の図１〜図３、及び図７に示すように、収納ケース４１は、カバーガラス支持ケース３２が収納ケース４１内に嵌め込まれた場合に、収納ケース４１の側壁のフック部３２ａに対向する部分に開口部４１ａが形成されている。
【００２８】
次に、カバーガラス支持ケース３２及び収納ケース４１の嵌め込み及び取り外しの態様について説明する。まず、ＬＣＤパネル部３のカバーガラス支持ケース３２を、フック部３２ａが形成された側から、側板部３２ｅの外面がバックライトユニット４の収納ケース４１の側壁の内面に対向するように、収納ケース４１に嵌め込む。この際、フック部３２ａの爪状体は、収納ケース４１の側壁の内面から押圧を受け、カバーガラス支持ケース３２は、フック部３２ａのみが内側に弾性変形した状態で、収納ケース４１に嵌め込まれる。カバーガラス支持ケース３２を有するＬＣＤパネル部３を、フック部３２ａが収納ケース４１の開口部４１ａに対向する位置まで嵌め込む。つまり、バックライトユニット４とＬＣＤパネル部３とが嵌め合わされると、弾性変形していたフック部３２ａが元の状態に戻り、フック部３２ａのバックライトユニット４側の端部の爪状体が開口部４１ａに挿入される。フック部３２ａは、開口部４１ａに挿入されると、バックライトユニット４側の端部の爪状体のＬＣＤパネル部３側の端面が開口部４１ａの端面と対面する。これにより、バックライトユニット４とＬＣＤパネル部３とが離れる方向に移動すると、フック部３２ａが開口部４１ａに引っかかり、バックライトユニット４とＬＣＤパネル部３とが離れる方向の移動を規制する。これにより、バックライトユニット４とＬＣＤパネル部３とを固定することができる。このようにして、液晶表示装置１は、ＬＣＤパネル部３のカバーガラス支持ケース３２とバックライトユニット４の収納ケース４１とが嵌め合わされて、互いに固定される。また、バックライトユニット４とＬＣＤパネル部３とが嵌め合わされると、側板部３２ｅと防護壁３２ｃの光源側の端部が収納ケース４１の内底面に略当接する。これにより、液晶表示装置１は、側板部３２ｅと防護壁３２ｃで囲われる内側の空間と外側の空間とが画定され、外部から側板部３２ｅと防護壁３２ｃで囲われる内側の空間に異物が混入することを抑制する。
【００２９】
また、ＬＣＤパネル部３のカバーガラス支持ケース３２を、バックライトユニット４の収納ケース４１から取り外す場合には、まず、開口部４１ａに嵌合したフック部３２ａの爪状体を押圧して、内側の間隙３２ｂ側に弾性変形させる。フック部３２ａが間隙３２ｂ側に弾性変形した状態で、ＬＣＤパネル部３を収納ケース４１から離間する方向に引き出す。この際、フック部３２ａの爪状体は、収納ケース４１の側壁の内面から押圧を受け、カバーガラス支持ケース３２は、フック部３２ａのみが内側に弾性変形した状態で、収納ケース４１から引き出される。カバーガラス支持ケース３２を有するＬＣＤパネル部３を、フック部３２ａが収納ケース４１の外部まで引き出すと、弾性変形していたフック部３２ａが元の状態に戻る。このようにして、ＬＣＤパネル部３のカバーガラス支持ケース３２は、バックライトユニット４の収納ケース４１から取り外される。
【００３０】
以上のように、液晶表示装置１は、ＬＣＤパネル部３をバックライトユニット４に固定する場合に、カバーガラス支持ケース３２のフック部３２ａのみを弾性変形した状態で、カバーガラス支持ケース３２を収納ケース４１に嵌め込んで固定することができる。これによって、液晶表示装置１の製造時又はリワーク時において、カバーガラス支持ケース３２及び収納ケース４１の嵌め込み作業及び取り外し作業が容易となる。また、カバーガラス支持ケース３２及び収納ケース４１の嵌め込み作業及び取り外し作業の際に、フック部３２ａのみを弾性変形すればよいので、ＬＣＤパネル部３及びバックライトユニット４全体に物理的な負荷がかかるのを低減することができる。
【００３１】
また、上述のように、カバーガラス支持ケース３２が収納ケース４１に嵌め込まれて固定された場合に、側板部３２ｅに形成された防護壁３２ｃの光源側の端部が、収納ケース４１の内底面に略当接し、防護壁３２ｃは、カバーガラス支持ケース３２及び収納ケース４１によって囲まれる空間と外部とを画定する構成としている。これによって、防護壁３２ｃがバックライト４２から発する光を遮光するように作用するので、バックライト４２から発する光が、開口部４１ａを介して収納ケース４１の外部に漏れ出すことを低減することができる。
【００３２】
また、液晶表示装置１は、カバーガラス支持ケース３２を収納ケース４１に嵌め込みで固定し、側板部３２ｅと収納ケース４１の側面とが対面した状態で互いに固定されることで、カバーガラス支持ケース３２が収納ケース４１の間から異物が混入することを抑制することができ、ＬＣＤパネル２の周辺への異物の混入を抑制することができる。さらに、液晶表示装置１は、防護壁３２ｃを設けることで、開口部４１ａ及び間隙３２ｂを介して、収納ケース４１の内部に塵埃等の異物が入り込むことを抑制することができる。
【００３３】
なお、カバーガラス支持ケース３２の側板部３２ｅの光源側の端部に、フック部３２ａが複数箇所形成され、フック部３２ａと防護壁３２ｃとの間に形成された間隙３２ｂは、側板部３２ｅの光源側方向に開放されている構成としたが、これに限定されるものではない。すなわち、側板部３２ｅの表示側と光源側の端部との間に、内側に凹状に窪んだ防護壁３２ｃを形成し、該防護壁３２ｃの凹状の内壁のうち光源側（又は表示側）の内壁から、表示側（又は光源側）に向けてフック部３２ａを延設して形成するものとしてもよい。このような構造においても、上述と同様の効果を得ることができる。
【００３４】
（液晶表示装置１の自動車１０１への搭載態様）
図８は、実施形態に係る液晶表示装置を自動車のダッシュボードに設置した状態を示す図である。図８に示すように、例えば、本実施形態に係る液晶表示装置１は、自動車１０１の車内１０２の運転席側のダッシュボード１０３に設置される。この場合、液晶表示装置１は、カーナビゲーションシステムにおけるナビゲーション表示、音楽操作画面の表示、又は、映画再生表示等に利用される。
【００３５】
また、上述の実施形態に係る液晶表示装置１を適用することができる電子機器としては、上述したカーナビゲーションシステムの他に、パーソナルコンピュータ、液晶テレビ又は携帯電話等が挙げられる。
【００３６】
また、上述した内容により実施形態が限定されるものではない。また、上述した実施形態の構成要素には、当業者が容易に想到できるもの、実質的に同一のもの、いわゆる均等の範囲のものが含まれる。さらに、上述の実施形態の要旨を逸脱しない範囲で構成要素の種々の省略、置換及び変更を行うことができる。例えば、上記実施形態の表示装置及び電子機器は、画像を表示する表示パネルとしてＬＣＤパネルを用いた液晶表示装置１及びこれを電子機器として説明したが、これに限定されない。表示パネルとしては、ＬＣＤパネル以外を用いることもできる。
【００３７】
また、本技術は、以下の構成をとることもできる。
（１）画像を表示する表示面を備える表示パネルと、
前記表示パネルの前記表示面を支持する支持面及び前記支持面の外縁に沿って形成され前記支持面の外縁から前記表示面に直交する方向に延びた側板部を備え、前記側板部の外周側の面に前記側板部の表面に直交する方向に突出したフック部が、前記側板部の少なくとも１箇所に形成された上ケースと、
前記表示面に平行な底面及び前記底面の周囲に形成され、前記底面に直交する方向に延在し前記側板部の外周側に対面する側壁を備え、前記側壁に前記フック部が挿入される開口が形成される下ケースと、を有し、
前記フック部は、前記支持面に平行な面において、荷重が付与されていない状態で前記開口に挿入され、かつ、前記開口に挿入されている部分が前記支持面の外側から前記支持面の中心側に押された場合、前記開口と重ならない位置まで前記支持面の中心側に弾性変形可能であることを特徴とする表示装置。
（２）前記側板部は、前記フック部の側面及び前記支持面の中心側の面に対面した防護壁を備え、
前記防護壁は、端部が、前記側板部の前記フック部に隣接した部分と連結されていることを特徴とする（１）に記載の表示装置。
（３）前記下ケースは、前記表示パネルに積層され前記表示パネルを照明するバックライトをさらに有し、
前記バックライトを収納することを特徴とする（１）または（２）に記載の表示装置。
（４）前記表示パネルと接着され、前記上ケースと接着される表示カバーをさらに有することを特徴とする（１）から（３）のいずれか一つに記載の表示装置。
（５）（１）から（４）のいずれか一つに記載の表示装置と、
前記表示装置の表示動作を制御する制御装置と、
を備えたことを特徴とする電子機器。
【符号の説明】
【００３８】
１  液晶表示装置
２  ＬＣＤパネル
３  ＬＣＤパネル部
４  バックライトユニット
２１  ＦＰＣ
３１  カバーガラス
３２  カバーガラス支持ケース
３２ａ  フック部
３２ｂ  間隙
３２ｃ  防護壁
３２ｄ  貼付板部
３２ｅ  側板部
３２ｆ  段部
３３  ＵＶ硬化樹脂
３４  緩衝部材
４１  収納ケース
４１ａ  開口部
４２  バックライト
４３  フレキシブルケーブル
１０１  自動車
１０２  車内
１０３  ダッシュボード
【図１】
2014164276.tif 000003
【図２】
2014164276.tif 000004
【図３】
2014164276.tif 000005
【図４】
2014164276.tif 000006
【図５】
2014164276.tif 000007
【図６】
2014164276.tif 000008
【図７】
2014164276.tif 000009
【図８】
2014164276.tif 000010